(57)【要約】【課題】  未現像写真フィルムの現像から画像データの取得までの一連の処理を自動的に行う良好な面を損なうことなく、広いダイナミックレンジの画像データを取得するフィルム処理装置を構成する。【解決手段】  フィルムプロセッサから排出されたフィルムＦを供給搬送機構ＡでフィルムスキャナＦＳに供給するフィルム処理装置を構成し、供給搬送機構Ａに備えた濃度センサＤＳでフィルムＦのコマの濃度を計測し、この計測結果に基づいて、コマの濃度が高い場合にはフィルムスキャナＦＳでのスキャニング時の光源ユニット２２の光量を増大し、コマの濃度が低い場合にはフィルムスキャナＦＳでのスキャニング時における光源ユニット２２の光量を低下する。【選択図】        図９
2007036568.tif 000002
【特許請求の範囲】
【請求項１】
未現像写真フィルムの現像処理を行うフィルムプロセッサと、現像済写真フィルムのコマの情報を光電変換により画像データとして取得するフィルムスキャナと、前記フィルムプロセッサから排出された現像済写真フィルムを前記フィルムスキャナに供給する供給搬送経路とを備えているフィルム処理装置であって、
前記フィルムスキャナが、現像済写真フィルムに対して光源から光線を照射する光源ユニットと、現像済写真フィルムのコマからの情報を光電変換する光電変換ユニットとを備えて構成され、
前記現像済写真フィルムのコマの濃度を計測する濃度センサを前記供給搬送経路に備え、この濃度センサで計測した前記コマの濃度に基づいて前記光電変換ユニットに導かれる光線の光量を設定する光量制御手段を備えているフィルム処理装置。
【請求項２】
前記フィルムスキャナは、前記現像済写真フィルムを長手方向に搬送するフィルムキャリアを備え、前記光電変換ユニットは、前記現像済写真フィルムの搬送方向と直交する主走査方向に沿ってライン状の領域の光電変換を行う光電変換素子を備え、
前記フィルムスキャナは、前記フィルムキャリアで現像済写真フィルムを予め設定された速度で搬送した際に、前記光電変換素子で受ける光量が設定値とするために、前記光源の光量を調節する、又は、光源から送り出された光線の光量を調節するように前記光量制御手段の制御形態を設定している請求項１記載のフィルム処理装置。
【請求項３】
前記光源ユニットが、Ｒ（赤）、Ｇ（緑）、Ｂ（青）の３原色に対応して３種の発光ダイオードを備えて構成され、前記光量制御手段は、前記発光ダイオードに供給する電力の調節によって光量を設定するように構成され、
前記発光ダイオードに供給する電力に対応してシェーディング補正データを設定し、設定したシェーディング補正データに基づいて前記光電変換ユニットで取得した画像データのシェーディング補正を行うシェーディング補正手段を備えている請求項２記載のフィルム処理装置。
【請求項４】
前記フィルムスキャナは、前記フィルムキャリアでの現像済写真フィルムの搬送時に前記画像データを低解像度で取得するプレスキャンを実行した後に、前記フィルムキャリアでの現像済写真フィルムの搬送時に前記画像データを高解像度で取得する本スキャンを実行するようにスキャニング形態が設定され、前記光量制御手段は前記プレスキャンの実行時、及び、前記本スキャンの実行時に前記光電変換ユニットに導かれる光線の光量を設定するように構成されている請求項１〜３のいずれか１項に記載のフィルム処理装置。
【発明の詳細な説明】
【技術分野】
【０００１】
本発明は、未現像写真フィルムの現像処理を行うフィルムプロセッサと、現像済写真フィルムのコマの情報を光電変換により画像データとして取得するフィルムスキャナと、前記フィルムプロセッサから排出された現像済写真フィルムを前記フィルムスキャナに供給する供給搬送経路とを備えているフィルム処理装置に関し、詳しくは、フィルムスキャナでのスキャニング性能の向上を図る技術に関する。
【背景技術】
【０００２】
上記のように構成された、フィルム処理装置に関連する技術として特許文献１、特許文献２に記載されるものが存在し、フィルムスキャナに関連するものとして特許文献３に記載されるものが存在する。
【０００３】
特許文献１では、フィルム処理装置（写真フィルム自動現像装置）では、フィルム引き出し部からの未現像写真フィルムを現像処理部に送って現像処理を行い、この現像処理後の現像済写真フィルムを乾燥部で乾燥するようにフィルムプロセッサが構成され、このフィルムプロセッサから送られる現像済写真フィルムをフィルムスキャナ（画像読み取り装置）に供給して画像データ（撮影データ）を取得する処理と、フィルムプロセッサから送られる現像済写真フィルムをフィルムスキャナに送らずに直接排出する処理とを行える。
【０００４】
このフィルム処理装置では、フィルムプロセッサから送られた搬送方向切り替え機構によって現像済写真フィルムを直接排出する搬送経路と、フィルムスキャナに送る搬送経路との何れかに選択して送るように搬送系が構成され、写真フィルムに貼付された識別ラベルの内容から画像読み取りの要否を判断して搬送方向の切り替えを行っている。また、フィルムスキャナで取得した（読み取った）画像データは写真プリント装置に伝送することも可能に構成されている。
【０００５】
特許文献２では、フィルムプロセッサからの現像済写真フィルムをフィルムスキャナ（特許文献２では撮像部）において画像データを取得するように構成されている。このフィルムスキャナは、光源部からの光線を現像済写真フィルム（ネガフィルム）に照射し、この現像済写真フィルムからの光線をレンズからＣＣＤラインセンサに導くように構成され、現像済写真フィルムの画像濃度に基づいてＣＣＤラインセンサの蓄積時間を変更して読み取りを行うことによりダイナミックレンジを広くしている。
【０００６】
特許文献３では、現像済写真フィルムをプレスキャン部に送ってプレスキャンを行い、次に、このフィルムをファインスキャン部に送ってファインスキャンを行うように処理系が形成されている。プレスキャンで現像済写真フィルムのコマの濃度を取得し、この濃度値に基づいてファインスキャン部の光源の光量と、ＣＣＤラインセンサの電荷蓄積時間との少なくとも一方を変更する。具体的には、濃度値が高い場合には光源の光量を増大させる、又は、ＣＣＤラインセンサの電荷蓄積時間を長くするように制御の形態が設定されている。
【０００７】
【特許文献１】特開平１１‐２３４４７６号公報  （段落番号〔００１５〕〜〔００３６〕、図１、図２）
【特許文献２】特開平６‐１６９４０１号公報  （段落番号〔０００８〕〜〔００１２〕、図１）
【特許文献３】特開２０００−１４７６７４号公報（段落番号〔００６７〕、〔００９１〕〜〔００９９〕、図２、図７）
【発明の開示】
【発明が解決しようとする課題】
【０００８】
特許文献１及び特許文献２に記載されるように、未現像写真フィルムの現像処理を行い、この現像処理よって得られる現像済写真フィルムのコマの情報を画像データとして取得する一連の処理を自動化したものは、オペレータの作業を簡素化するばかりでなく処理時間を短縮するものである。
【０００９】
また、フィルムスキャナで取得した画像データのダイナミックレンジを広くする観点から考えると、特許文献３に記載されるように、フィルムのコマの濃度に基づいて光源の光量を調節することや、光電変換素子の蓄積時間を調節することは有効である。しかしながら、光電変換素子の蓄積時間を調節することはスキャニング時間を長引かせることに繋がる点において改善の余地がある。
【００１０】
異なる観点から考えると、特許文献３に記載されるようにプレスキャンを行った後に、ファインスキャンを行う際に光量を調節するものでは、プレスキャンにおいて広いダイナミックレンジで画像データを取得できないものであり、この点においても改善の余地がある。
【００１１】
本発明の目的は、未現像写真フィルムの現像から画像データの取得までの一連の処理を自動的に行う良好な面を損なうことなく、広いダイナミックレンジの画像データを取得するフィルム処理装置を合理的に構成する点にある。
【課題を解決するための手段】
【００１２】
本発明の特徴は、未現像写真フィルムの現像処理を行うフィルムプロセッサと、現像済写真フィルムのコマの情報を光電変換により画像データとして取得するフィルムスキャナと、前記フィルムプロセッサから排出された現像済写真フィルムを前記フィルムスキャナに供給する供給搬送経路とを備えているフィルム処理装置において、
前記フィルムスキャナが、現像済写真フィルムに対して光源から光線を照射する光源ユニットと、現像済写真フィルムのコマからの情報を光電変換する光電変換ユニットとを備えて構成され、
前記現像済写真フィルムのコマの濃度を計測する濃度センサを前記供給搬送経路に備え、この濃度センサで計測した前記コマの濃度に基づいて前記光電変換ユニットに導かれる光線の光量を設定する光量制御手段を備えている点にある。
【００１３】
この構成により、フィルムプロセッサから排出された現像済写真フィルムを供給搬送経路で搬送する際に濃度センサが、現像済写真フィルムのコマの濃度を計測し、この計測結果に基づいて、フィルムスキャナでのスキャニング時に光電変換ユニットに導かれる光線の光量を設定する。つまり、コマの濃度が高い場合には光源に供給する電力を高めて光量を増大することが考えられ、また、コマの濃度が低い場合には、光源に供給する電力を低減することや、レンズの絞りを調節することにより、光電変換ユニットにおいては略決まった量の光線に基づいて光電変換を行える。その結果、未現像写真フィルムの現像から画像データの取得までの一連の処理を自動的に行う良好な面を損なうことなく、フィルムスキャナにおいて広いダイナミックレンジの画像データを取得するフィルム処理装置が合理的に構成された。
【００１４】
本発明は、前記フィルムスキャナは、前記現像済写真フィルムを長手方向に搬送するフィルムキャリアを備え、前記光電変換ユニットは、前記現像済写真フィルムの搬送方向と直交する主走査方向に沿ってライン状の領域の光電変換を行う光電変換素子を備え、
前記フィルムスキャナは、前記フィルムキャリアで現像済写真フィルムを予め設定された速度で搬送した際に、前記光電変換素子で受ける光量が設定値とするために、前記光源の光量を調節する、又は、光源から送り出された光線の光量を調節するように前記光量制御手段の制御形態を設定しても良い。
【００１５】
この構成により、フィルムスキャナでスキャニングを行う際には、フィルムキャリアで現像済写真フィルムを設定速度で搬送しながら、現像済写真フィルムからの光線を電変換素子に導き、主走査方向に沿ったライン状の領域の光電変換を行う。また、この光電変換素子で受ける光量が設定値となるように光量の光線が調節される。
【００１６】
本発明は、前記光源ユニットが、Ｒ（赤）、Ｇ（緑）、Ｂ（青）の３原色に対応して３種の発光ダイオードを備えて構成され、前記光量制御手段は、前記発光ダイオードに供給する電力の調節によって光量を設定するように構成され、
前記発光ダイオードに供給する電力に対応してシェーディング補正データを設定し、設定したシェーディング補正データに基づいて前記光電変換ユニットで取得した画像データのシェーディング補正を行うシェーディング補正手段を備えても良い。
【００１７】
この構成により、発光ダイオードの供給する電力の調節によって光源の光量を調節した場合には、発光ダイオードに供給する電力に対応して設定したシェーディング補正データに基づいて光電変換ユニットで取得した画像データの補正を行う。つまり、光源の光量に対応して主走査方向での光量分布が一定しない場合でも、主走査方向で適正な濃度となる画像データを得る。
【００１８】
本発明は、前記フィルムスキャナとして、前記フィルムキャリアでの現像済写真フィルムの搬送時に前記画像データを低解像度で取得するプレスキャンを実行した後に、前記フィルムキャリアでの現像済写真フィルムの搬送時に前記画像データを高解像度で取得する本スキャンを実行するようにスキャニング形態が設定され、前記光量制御手段は前記プレスキャンの実行時、及び、前記本スキャンの実行時に前記光電変換ユニットに導かれる光線の光量を設定するように構成しても良い。
【００１９】
この構成により、光量制御手段はプレスキャンの実行時と本スキャンの実行時とにおいて光電変換ユニットに導かれる光線の光量を設定し、いずれも広いダイナミックレンジの画像データを取得する。
【発明を実施するための最良の形態】
【００２０】
以下、本発明の実施形態を図面に基づいて説明する。
【００２１】
〔全体構成〕
図１に示すように、未現像写真フィルムの現像処理を行うフィルムプロセッサＦＰと、現像済写真フィルムのコマの情報を光電変換により画像データとして取得するフィルムスキャナＦＳとを上下位置に配置すると共に、フィルムプロセッサＦＰの排出部から排出された現像済写真フィルムを前記フィルムスキャナＦＳの供給部に送る供給搬送系に対して、現像済写真フィルムを前記供給部に送り込む供給状態と、外部に送り出す排出状態とに切換自在な供給搬送機構Ａとを備えてフィルム処理装置が構成されている。
【００２２】
このフィルム処理装置は、通信回線１を介して画像処理装置Ｇに接続され、この画像処理装置Ｇは、通信回線２を介して写真プリント装置Ｐに接続している。画像処理装置Ｇは、通信機能と画像処理機能とを有するコンピュータ３を備えると共に、ディスプレイ４とキーボード５とマウス６とを備えている。この構成により、フィルム処理装置で取得した画像データは、通信回線１を介して画像処理装置Ｇに伝送され、この画像処理装置Ｇから通信回線２を介して写真プリント装置Ｐに伝送され、この写真プリント装置Ｐにおいて印画紙等のプリント媒体にプリントすることが可能である。
【００２３】
本発明のフィルム処理装置は、取得した画像データを写真プリント装置Ｐに対して直接伝送しても良い。また、写真プリント装置Ｐは銀塩式の印画紙を用いるものばかりでなく、インクジェット型ものや昇華型のものを用いても良い。
【００２４】
本発明では、フィルムプロセッサＦＰに送り込む以前の写真フィルムを未現像写真フィルムと称し、フィルムプロセッサＦＰで現像処理を行った後の写真フィルムを現像済写真フィルムと称しているが、夫々の区別は明らかであるので、以下、未現像写真フィルムと現像済写真フィルムとをフィルムＦと略称する。
【００２５】
〔フィルムプロセッサ〕
前記フィルムプロセッサＦＰは、図１〜図３に示すように、暗箱構造となる筐体構造のプロセッサ本体１０の前部にフィルム挿入部１１を配置し、プロセッサ本体１０の内部に現像処理部１２と乾燥処理部１３とを備え、プロセッサ本体１０の後部に排出部１４を配置し、フィルム挿入部１１から前記排出部１４に亘って搬送機構１５を形成している。また、プロセッサ本体１０の前部位置には各種情報を表示する液晶ディスプレイ１６Ａと複数の操作ボタン１６Ｂを有したコントロールパネル１６を備え、プロセッサ本体１０の内部には該フィルムプロセッサ全体の制御を実現する制御ユニット１７を備えている。
【００２６】
尚、プロセッサ本体１０の前部とは、フィルム挿入部１１やコントロールパネル１６をオペレータが操作するために立つ側であり、前記フィルムスキャナＦＳにおいても、プロセッサ本体１０の同じ方向を前部と称する。
【００２７】
また、前記プロセッサ本体１０の後部には排出ブロック１０Ａを上方に突出する形態で形成し、この排出ブロック１０Ａに形成した開口によって前記排出部１４を形成している。この排出部１４から送り出されるフィルムＦを受け止めるフィルム貯留部１８を前記プロセッサ本体１０の上面に形成している。
【００２８】
前記フィルム挿入部１１には、開閉自在な蓋体１１Ａを備えており、このフィルム挿入部１１にはカートリッジＣａに巻き取る形態で収容されたロール状のフィルムＦを前記搬送機構１５に受け渡す作動系と、フィルムＦの後端を切断する切断ユニット（図示せず）を備えている。
【００２９】
１３５サイズのフィルムＦの現像処理を例に挙げると、図５に示すように、カートリッジＣａから引き出したフィルムＦの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、前記コントロールパネル１６の所定の操作ボタン１６Ｂを操作することで、制御ユニット１７の制御によってフィルムの搬送が開始され、現像処理部１２での現像処理と、乾燥処理部１３での乾燥処理の後に排出部１４からリーダＬを先頭にしてフィルムＦが排出される。
【００３０】
前記リーダＬは樹脂製でフィルムＦと同程度の柔軟性を持つシート状であり、幅方向での一端には搬送用の複数のパーフォレーションが形成されている。
【００３１】
図面には示していないが、前記現像処理部１２は、１つの発色現像槽、１つの漂白槽、２つの定着槽、３つの安定槽を樹脂材料で単一化した処理ユニット１２Ａを備えており、前記搬送機構１５のうち、この処理ユニット１２Ａの部位でフィルムＦを搬送する部位には処理ユニット１２Ａに形成した前記発色現像槽、漂白槽、定着槽、安定槽に対して、この順序で前記リーダＬ及びフィルムＦを搬送する複数の圧着型のローラを備えている。また、前記乾燥処理部１３には現像処理部１２から送り出されたフィルムＦに対して、外部の空気を加熱して吹き付けるブロワ１３Ａを備えている。
【００３２】
前記搬送機構１５は、前述したようにフィルム挿入部１１から排出部１４に亘ってフィルムＦを搬送する機能を有するものであり、この搬送を行うため搬送経路の各部に圧着ローラ１５Ａを備え、この複数の圧着ローラ１５Ａを電動モータ（図示せず）で同期駆動する駆動系を備えている。この搬送機構１５のうち、前記排出部１４に隣接するものを特に排出ローラ１５Ｅと称している。
【００３３】
前記フィルム貯留部１８は、図３及び図４に示すように、プロセッサ本体１０の上部に備えた透明樹脂製のカバー１８Ａで構成されている。このカバー１８Ａは、後部位置（フィルムＦの搬送方向で上流側）から前部位置（フィルムの搬送方向で下流側）に亘って前記リーダＬの幅方向の両端部に接触して案内するガイド部１８Ｇを形成し、このカバー１８Ａの後端側から中央部に亘ってフィルムＦが上下方向に通過するスリット１８Ｓを形成し、更に、このカバー１８Ａの前端側に前記リーダＬを保持する保持部１８Ｋを形成している。前記ガイド部１８Ｂのうち後端側は、排出部１４から排出されたリーダＬの先端を上方に案内する傾斜面１８ＧＳを形成している。
【００３４】
このように排出部１４からリーダＬが排出される際に、前記供給搬送機構Ａが排出状態にある場合には、リーダＬの先端が前記カバー１８Ａに形成したガイド部１８Ｇの傾斜面１８ＧＳで案内されることで上方に持ち上げられ、この後、自重での滑動とフィルムＦからの押圧力とによって前記保持部１８Ｋに送り込まれる。このリーダＬに続くフィルムＦは前記スリット１８Ｓから貯留空間に落とし込まれる。
【００３５】
〔フィルムスキャナ〕
前記フィルムスキャナＦＳは、図１及び図２に示すように、筐体構造のスキャナ本体２０の下部にフィルムキャリア２１を配置し、このフィルムキャリア２１の下側に光源ユニット２２を配置し、このフィルムキャリア２１の上側にズームレンズ２３と光電変換ユニット２４とを配置し、このスキャナ本体２０の内部に制御ユニット２５を配置し、更に、スキャナ本体２０の前面にスタートボタン２６を備えている。このフィルムスキャナＦＳは、前記フィルムプロセッサＦＰに固定された一対の中間フレーム３０の上端に支持され、前記排出ブロック１０Ａの上部位置に配置されている
【００３６】
このフィルムスキャナＦＳのフィルムキャリア２１は、前記フィルムプロセッサＦＰの前部と同じ方向にフィルムＦの供給部２１Ａを形成しており、この供給部２１Ａから供給したフィルムＦをフィルムキャリア２１において後部側に向け水平方向に搬送しながらスキャニングを行い、このスキャニングを終了したフィルムＦを後部側（供給部２１Ａの反対側）から送り出し、フィルムスキャナＦＳの下面に形成したダクト２７から下方に送り出すようにフィルムＦの搬送経路が形成されている。
【００３７】
ダクト２７から下方に送り出されたフィルムＦを受け止めるフィルムストッカー２８が、前記フィルムプロセッサＦＰに備えている。また、フィルムキャリア２１にフィルムＦを搬送する際には、後述するように前記リーダＬを切り離す処理が行われる。
【００３８】
前記フィルムキャリア２１は、図９に示すように、フィルムＦの表裏夫々の側に配置される板状の上下のガイド材２１Ｔ、２１Ｂと、フィルムＦに圧着して搬送力を作用させる複数の搬送ローラ２１Ｒと、フィルムＦの存否を判別する非接触型の存否センサＳＦと備えている。尚、存否センサＳＦは発光ダイオード等で成る光源Ｓａと、フォトダイオードやフォトトランジスタ等で成る受光素子Ｓｂとで構成され、この存否センサＳＦはフィルムＦのコマの位置を判別するためにも機能する。
【００３９】
また、上下のガイド材２１Ｔ、２１Ｂには光源ユニット２２からの光線が通過するスリット状のスキャニングゲートを形成し、下側のガイド材２１には前記光源ユニット２２からの光線をスキャニングゲートに導く位置にシリンドリカル型又はトロイダル型の集光レンズ２１Ｌを備えている。
【００４０】
前記光源ユニット２２は、主走査方向に直線状に配置した複数の緑色の発光ダイオード６１Ｇと、主走査方向に直線状に配置した複数の青色の発光ダイオード６１Ｂと、主走査方向に複数の赤色の発光ダイオード、及び、複数の赤外光の発光ダイオードを交互に配置した赤色・赤外発光ダイオード６１Ｒ・ＩＲとを備えると共に、夫々の発光ダイオード６１（複数種の発光ダイオードの上位概念）からの光線を平行光線化するように、対応する発光ダイオードに焦点位置を設定してシリンドリカル型の平行化レンズ６２を備えている。図面には示していないが夫々の発光ダイオード６１は基板に支持され、基板には基板の温度を計測する温度センサと、基板を加熱する温調用のヒータとを備えている。
【００４１】
更に、これらの発光ダイオード６１から光線を合流させて光軸Ｙに沿って上方に送り出す２つのダイクロイックミラー型のミラー６３を備えると共に、拡散板６４と、光軸Ｙ上に出退するＮＤフィルタ６５とを備えている。尚、ＮＤフィルタ６５は、切換モータ６６からの駆動力で出退操作力を作り出すクランク機構６７によって出退作動する。
【００４２】
前記ズームレンズ２３は、焦点距離の調節によってフィルムＦのコマの情報を設定された拡大率で前記光電変換ユニット２４の光電変換面に結像させる。
【００４３】
前記光電変換ユニット２４は、Ｒ（赤）、Ｇ（緑）、Ｂ（青）の３原色に対応した３ライン型の可視光用のラインセンサ２４Ａ（光電変換素子の一例）と、赤外光（ＩＲ）を感知する１ライン型の赤外光用のラインセンサ２４Ｂ（光電変換素子の一例）とを内蔵すると共に、前記光学レンズ２３からの可視光を透過させ、赤外光を反射させるダイクロイックミラー型のビームスプリッター２４Ｃを備えている。
【００４４】
可視光用のラインセンサ２４Ａと、赤外光用のラインセンサ２４Ｂとは、前記フィルムＦの長手方向と直交する主走査方向と平行する方向に沿って多数の光電変換素子を配置した構造を有しており、前記光学レンズ２３からの光線をビームスプリッター２４Ｃから可視光用のラインセンサ２４Ａに導いて結像させる同時に、ビームスプリッター２４Ｃで反射させて赤外光用のラインセンサ２４Ｂに導いて結像させる。
【００４５】
可視光用のラインセンサ２４Ａは、後述するプレスキャンと本スキャンとにおいて画像データを取得するように機能し、赤外光用のラインセンサ２４Ｂで取得したデータはフィルムＦのゴミや傷に起因する欠陥領域を特定し、濃度調整処理や、ニアレストネイバー法、バイリニア法、バイキュービック法等による補間処理によって本スキャンによって取得した画像データの欠陥を修正する処理に利用される。
【００４６】
〔マニュアルスキャニングモードでの制御〕
この構成から、このフィルムスキャナＦＳを用いて、例えば、１３５サイズのフィルムＦのスキャニングを行う場合には、前記供給部２１Ａに対して前記供給搬送機構ＡからフィルムＦの先端を送り込む、又は、オペレータが人為的にフィルムＦの先端を送り込み、前記スタートボタン２６を操作してスキャニングを開始することにより、制御ユニット２５が搬送ローラ２１Ｒを駆動してフィルムキャリア２１でのフィルムＦの搬送を開始する。
【００４７】
この搬送時に光源ユニット２２からの光線をフィルムＦに照射し、フィルムＦのコマの可視光情報を前記ズームレンズ２３がラインセンサ２４Ａの光電変換面に結像させると共に、赤外光情報を前記ズームレンズ２３がラインセンサ２４Ｂの光電変換面に結像させる。また、制御ユニット２５がフィルムＦの搬送速度と同期したタイミングでラインセンサ２４Ａ、２４Ｂから画像データを取得し、前記通信回線１を介して画像処理装置Ｇのコンピュータ３に伝送する。
【００４８】
〔供給搬送機構〕
図２及び６（ａ）、（ｂ）に示すように、前記供給搬送機構Ａは前記一対の中間フレーム３０で挟まれる空間に配置されると共に、この中間フレーム３０に対して横向き姿勢の軸体４０を介して上下方向に揺動自在に支持したガイド板４１と、前記中間フレーム３０に対して支持された回動軸５０と一体的に揺動する揺動アーム５１に支持されたチャッカーＣと、これらを制御する制御ユニット３１このチャッカーＣから送り出されたリーダＬを受け止めるリーダトレイ３２とを有している。
【００４９】
前記ガイド板４１は、前記リーダＬの幅方向での両側部を圧着して搬送し得る幅に形成された下部ガイド板４１Ａと上部ガイド板４１Ｂとを備えると共に、前記リーダＬとフィルムＦとを送る遊転ローラ４２と、圧着型の供給搬送ローラ４３を備え、前記下部ガイド板４１Ａにおいて搬送方向で供給搬送ローラ４３より上流位置にはフィルムＦの幅より充分に広い幅の開放空間４１Ｓを形成してフィルムＦが自重で下方に弛む現象を許している。
【００５０】
前記遊転ローラ４２は、下部ガイド板４１Ａに対して自由回転状態で支持され、前記供給搬送ローラ４３は下部ガイド板４１Ａに支持された駆動ローラ４３Ａと、上部ガイド板４１Ｂに支持された圧着ローラ４３Ｂとで成り、このガイド板４１の側部には駆動ローラ４３Ａを駆動する搬送モータ４４を備えている。
【００５１】
また、前記フィルムＦの搬送方向でガイド板４１の下流端には濃度センサＤＳと第１センサＳ１を備え、この第１センサＳ１より更に下流側に固定刃４６Ａと、可動刃４６Ｂと、可動刃４６Ｂを作動させるカッターモータ４６Ｃとを有したカッター４６を備えている。
【００５２】
このガイド板４１はフィルムＦの搬送方向での上流側に位置する導入部Ｘを上下方向に変位させるように前記軸体４０の位置を設定してあり、この導入部Ｘを上方に引き上げるバネ４７（付勢機構の一例）を備え、このガイド板４１の姿勢を図６（ａ）に示す供給位置Ｘ１と、図６（ｂ）に示す排出位置Ｘ２とに切換自在な電磁ソレノイド４８（アクチュエータの一例）を備えている。尚、この電磁ソレノイド４８は駆動（通電）することにより、プランジャを退入させてガイド板４１を供給位置Ｘ１にセットし、非駆動（非通電）状態でプランジャを突出させ、前記バネ４７の付勢力によるガイド板４１を排出位置Ｘ２へのセットを許す。
【００５３】
前記チャッカーＣは、前記揺動アーム５１の揺動端に備えた第２センサＳ２と、駆動ローラ５２と、この駆動ローラ５２に圧着する圧着ローラ５３とで構成されている。このチャッカーＣは回動軸５０の回動によって図６（ａ）に示すチャック位置Ｃ１と、図６（ｂ）に示す受け渡し位置Ｃ２とに切り換え自在に構成され、この切り換えを行うように前記回動軸５０を駆動する回動モータ５４を前記中間フレーム３０に備えている。
【００５４】
図７に示すように、前記駆動ローラ５２は駆動軸５２Ａに対しフィルムＦを順方向に搬送する回転力を作用させる一方向クラッチ５２Ｂを介して前記揺動アーム５１に支持され、この駆動軸５２Ａの端部に被駆動ギヤ５５を備えている。中間フレーム３０には揺動アーム５１がチャック位置Ｃ１（図７（ａ）を参照）と、受け渡し位置Ｃ２（図７（ｂ）を参照）とにある状態で前記被駆動ギヤ５５に咬合するように２つの駆動ギヤ５６を備え、この２つの駆動ギヤ５６をプーリ５７とベルト５８とを介して駆動するチャッカーモータ５９を備えている。
【００５５】
チャッカーＣを受け渡し位置Ｃ２にセットした場合には、このチャッカーＣとガイド板４１の搬送終端との中間に前方の開放するループ形成空間Ｚを形成しており、この空間に透明樹脂製でトレイ状のループストッカー３３を備えることにより、送り出されたフィルムＦを大きく弛ませてループ状に貯留できるようにしている。
【００５６】
前記濃度センサＤＳ、第１センサＳ１、第２センサＳ２夫々は、発光ダイオード等で成る光源Ｓａと、フォトダイオードやフォトトランジスタ等で成る受光素子Ｓｂとで構成されている。また、濃度センサＤＳはフィルムＦのコマの位置を識別すると共に、夫々のコマの濃度を計測するよう機能するものであり、この濃度センサＤＳとして、光学レンズとＣＣＤ等の光電変換素子とを用いることで画像を粗く取得するように構成しても良い。また、この濃度センサＤＳは光源と受光素子とを有し、フィルムＦに形成されたコマの濃度を計測するものであるが、光源と受光素子とを主走査方向に複数組配置したものであっても良い。
【００５７】
この供給搬送機構Ａは、チャッカーＣの駆動ローラ５２を駆動するモータ類を揺動アーム５１に支持するように構成して良く、前記ガイド板４１に備えた搬送モータ４４を中間フレーム３０に備え、この搬送モータ４４からの駆動力を前記駆動ローラ４３Ａに伝えるギヤ類を備えても良い。
【００５８】
図面には示していないが、前記フィルムプロセッサＦＰの制御ユニット１７と、フィルムスキャナＦＳの制御ユニット２５と、供給搬送機構Ａの制御ユニット３１と、コンピュータ３とは信号経路を介して制御信号のアクセスを行えるように構成している。また、前記フィルムプロセッサＦＰの制御ユニット１７で現像処理されたフィルムＦのサイズ（種類）や長さの情報はフィルムスキャナＦＳの制御ユニット２５と、供給搬送機構Ａの制御ユニット３１と、コンピュータ３に伝送され、また、スキャニングの必要の有無の情報が前記コントロールパネル１６又はコンピュータ３から供給搬送機構Ａに伝送される。
【００５９】
このフィルム処理装置では、フィルム現像のみを行う場合や、前記フィルムプロセッサＦＰにセットしたフィルムキャリア２１で搬送可能なサイズ以外のフィルムＦの現像処理を行う場合には、取得した情報に基づいた判断により、電磁ソレノイド４８を非駆動状態に維持することにより、図４に示すようにフィルムプロセッサＦＰから排出されたフィルムＦをそのままフィルム貯留部１８に送り出す。
【００６０】
また、スキャニングを行う必要がある場合には、フィルムプロセッサＦＰから排出されたフィルムＦを前記供給搬送機構ＡがフィルムスキャナＦＳに供給する制御が行われる。このように、フィルムプロセッサＦＰから排出されたフィルムＦを前記供給搬送機構ＡからフィルムスキャナＦＳに供給する際の制御（自動スキャニングモードでの制御）を図１１のフローチャートのように示すことが可能である。
【００６１】
〔自動スキャニングモードでの制御〕
つまり、フィルムＦに備えたリーダＬが排出部１４から排出される以前に、電磁ソレノイド４８を駆動してガイド板４１を供給位置Ｘ１にセットする。このセットの際に、チャッカーＣがチャック位置Ｃ１にない場合には、チャック位置Ｃ１にセットする（＃０１ステップ）。
【００６２】
このように、ガイド板４１を供給位置Ｘ１にセットした状態では前記供給搬送ローラ４３とチャッカーＣの駆動ローラ５２とが駆動される。そして、排出部１４からリーダＬが排出された場合には、図６（ａ）、図８（ａ）に示すように、前記フィルム貯留部１８のガイド部１８Ｇに形成した傾斜面１８ＧＳに沿って斜め上方にリーダＬが案内され、ガイド板４１の下部ガイド板４１Ａと、上部ガイド板４１Ｂとの間に導入され、前記遊転ローラ４２から供給搬送ローラ４３に送られ、この搬送モータ４４とチャッカーＣとで更に搬送される。
【００６３】
尚、この供給搬送ローラ４３とチャッカーＣとの搬送速度は等しく設定されるものであるが、この搬送に起因してフィルムプロセッサＦＰの排出部１４から排出されるフィルムＦに対して不必要な張力を作用させないように、供給搬送ローラ４３とチャッカーＣとの搬送速度は、排出部１４から排出されるフィルムＦの搬送速度より少し低速に設定されている。
【００６４】
このように供給搬送機構Ａに導入されたリーダＬの先端位置を第１センサＳ１と第２センサＳ２とが検出し、この検出タイミングと、供給搬送ローラ４３、チャッカーＣ夫々によるリーダＬの搬送速度とに基づいてリーダＬの位置が取得される（＃０２ステップ）。
【００６５】
リーダＬの位置が取得された後、フィルムＦが設定量だけ搬送されたタイミングで搬送を停止し、カッター４６の切断作動によってフィルムＦの先端を切断してリーダＬを切り離し、この後、チャッカーＣを駆動することにより、リーダＬをリーダトレイ３２に送り出し、更に、前記供給搬送ローラ４３とチャッカーＣとの駆動によってフィルムＦの先端（切断された部位）をチャッカーＣでチャックされる位置まで搬送して停止する（＃０３〜＃０６ステップ）。
【００６６】
前述したように、ガイド板４１でフィルムＦを搬送する際に、フィルムＦの搬送を一時的に停止させることや、これらの搬送速度を排出部１４から排出されるフィルムＦの搬送速度より低速に設定したことにより、排出部１４から継続的に排出されるフィルムＦの搬送速度と速度差を生ずるが、図８（ａ）に示すように、前記下部ガイド板４１Ａに形成した開放空間４１ＳからフィルムＦをループ状に弛ませて速度差を吸収する。
【００６７】
次に、図８（ｂ）に示すように、回動モータ５４の駆動により揺動アーム５１を受け渡し位置Ｃ２にセットする（＃０７ステップ）。
【００６８】
このように揺動アーム５１を受け渡し位置Ｃ２にセットする際には、供給搬送ローラ４３を駆動することによりガイド板４１からフィルムＦを送り出し、この送り出し速度よりチャッカーＣの移動速度が僅かに低速となるように（速度が一致しても良い）揺動アーム５１を作動させる。
【００６９】
このように揺動アーム５１を受け渡し位置Ｃ２にセットした後にも、供給搬送ローラ４３の駆動を継続的に行うことにより、図８（ｂ）に示すように、ループ形成空間Ｚに対してフィルムＦをループ状に弛ませ、ループストッカー３３によって受け止めるようにしている。
【００７０】
そして、フィルムプロセッサＦＰの排出部１４からフィルムＦの後端が排出されたことを第１センサＳ１が検出したタイミングでスキャニングを開始するタイミングとして、図８（ｃ）に示すように、チャッカーモータ５９を駆動することによりチャッカーＣの駆動ローラ５２でフィルムＦを送り出し、フィルムＦの先端をフィルムスキャナＦＳのフィルムキャリア２１の供給部２１Ａに送り込み、フィルムスキャナＦＳにおいてフィルムＦのコマの情報を光電変換によって画像データとして取得するスキャニングが行われるのである（＃０８、＃０９ステップ）。
【００７１】
チャッカーＣからフィルムＦを送り出す際の搬送速度は、フィルムスキャナＦＳのフィルムキャリア２１でのフィルムＦの搬送速度より低速に設定され、チャッカーＣから送り出したフィルムＦを、フィルムキャリア２１の搬送ローラ２１Ｂで搬送する際には、一方向クラッチ５２Ｂが駆動ローラ５２の送り出し方向への回転を許すため、このチャッカーＣから過剰にフィルムＦを送り出す不都合を回避すると同時に、フィルムＦに過大な張力を作用させず、円滑にフィルムＦを送り込めるようにしている。
【００７２】
また、フィルムプロセッサＦＰの排出部１４からフィルムＦの後端が排出されたタイミングをスキャニングを開始するタイミングとする理由は、フィルムプロセッサＦＰでの現像処理時のフィルムＦの搬送速度と比較してフィルムスキャナＦＳでのスキャニングにおけるフィルムＦの搬送速度が高速であるためである。
【００７３】
このようにチャッカーＣからフィルムＦを送り出す制御を行い、送り出しが完了したことを第２センサＳ２での検出結果から判別した後には、回動モータ５４の駆動によりチャッカーＣをチャック位置Ｃ１にセットし、電磁ソレノイド４８の駆動を解除してガイド板４１を排出位置Ｘ２にセットする（＃１０、＃１１ステップ）。
【００７４】
また、フィルムスキャナＦＳで取得した画像データは通信回線１を介してコンピュータ３に対して自動的に伝送され、必要な場合にはオペレータが色補正等の画像処理を行い、この後、写真プリント装置Ｐに伝送して印画紙等のプリント媒体にプリントする処理が行われるのである。
【００７５】
このように、本発明のフィルム処理装置では、フィルムプロセッサＦＰで現像したフィルムＦのサイズに基づいて、そのフィルムＦのスキャニングの必要の是非を判断し、スキャニングを行う必要がない場合には、フィルムプロセッサＦＰから排出されたフィルムＦを供給搬送機構Ａがフィルム貯留部１８に送り出しスキャニングは行わない。このため、オペレータが人為的に搬送形態を設定する手間を掛けないで済む。
【００７６】
スキャニングを行う必要がある場合には、フィルムプロセッサＦＰの排出部１４から排出されたフィルムＦを供給搬送機構ＡがフィルムスキャナＦＳに送り込んでフィルムＦのコマの情報から画像データを取得して、コンピュータ３等への伝送を実現する。また、供給搬送機構ＡでフィルムＦを搬送する場合には、ガイド板４１の下部ガイド板４１Ａに形成された開放空間４１ＳからフィルムＦをループ状に弛ませることにより、供給搬送機構ＡでのフィルムＦの搬送速度と、フィルムプロセッサＦＰから排出されるフィルムＦの搬送速度との速度差を吸収して、フィルムプロセッサＦＰから送り出されるフィルムＦに張力を作用させる等の不都合を回避している。
【００７７】
更に、フィルムプロセッサＦＰでの現像処理時のフィルムＦの搬送速度と比較してフィルムスキャナＦＳでのスキャニングにおけるフィルムＦの搬送速度が高速であるため、フィルムプロセッサＦＰからフィルムＦの終端が送り出されたタイミングでフィルムスキャナＦＳでスキャニングを開始するものであるが、ガイド板４１と受け渡し位置Ｃ２にセットしたチャッカーＣとの間のループ形成空間ＺでフィルムＦをループ状に弛ませることにより、フィルムプロセッサＦＰから送り出されるフィルムＦに張力を作用させる不都合を回避している。
【００７８】
〔フィルムスキャナの制御系〕
前記制御ユニット２５の制御系の概要を図１０のように示すことが可能である。入出力インタフェース７０と、この入出力インタフェース７０からの情報を処理するマイクロプロセッサＣＰＵとを備えると共に、前記入出力インタフェース７０は、前記フィルムキャリア２１の存否センサＳＦからの検出信号が入力する信号系、前記光源ユニット２２の発光ダイオード６１の光量を制御する信号系、前記切換モータ６６を制御する信号系、前記ズームレンズ２３を制御する信号系、光電変換ユニット２４からの画像データを受ける信号系を形成している。
【００７９】
更に、この入出力インタフェース７０は、前記供給搬送機構Ａの第１センサＳ１、第２センサＳ２、濃度センサＳＤ夫々の検出結果を受ける信号系、前記フィルムプロセッサＳＰの制御ユニット１７との間で情報をアクセスする信号系、前記通信回線１を介して前記コンピュータ３との間で情報をアクセスする信号系が形成されている。
【００８０】
前記マイクロプロセッサＣＰＵは、データを記憶するＲＡＭやＲＯＭで成る半導体メモリ７１、メモリの管理と制御を管理するオペレーティングシステム７２、前記濃度センサＤＳからの信号に基づいてコマの濃度を判定する濃度判定手段７３、前記光源ユニット２２の光量を制御する光量制御手段７４、プレスキャンを行うプレスキャン実行手段７５、本スキャンを行う本スキャン実行手段７６、シェーディング補正データを自動的に設定するシェーディング補正データ設定手段７７、シェーディング補正データをテーブルデータ化して保存したシェーディング補正テーブル７８、このシェーディング補正テーブル７８の補正データに基づいてシェーディング補正を実行するシェーディング補正手段７９、画像データの補正を行う画像補正手段８０夫々の間で情報をアクセスする信号系が形成されている。
【００８１】
前記濃度判定手段７３、光量制御手段７４、プレスキャン実行手段７５、本スキャン実行手段７６、シェーディング補正データ設定手段７７、シェーディング補正手段７９、画像補正手段８０はソフトウエアで構成するものを想定しているが、ハードウエアで構成することやハードウエアとソフトウエアとの組み合わせによって構成しても良い。
【００８２】
このフィルム処理装置は、前記自動スキャニングモードによってフィルムＦの画像データを取得する際に、前記濃度センサＤＳによってフィルムＦのコマ毎の濃度を取得し、この濃度に基づき、前記フィルムスキャナＦＳの光源ユニット２２の光量をコマ毎に設定してプレスキャンを実行し、このプレスキャンの後に本スキャンを実行して画像データを取得するように処理形態が設定されている。このように取得した画像データはスキャニング時における光源ユニット２２の光量に対応して設定されたシェーディング補正データに基づいてシェーディング補正を行う。
【００８３】
尚、本スキャンを行う際には、プレスキャンと反対方向にフィルムＦを搬送する制御形態を採用しているが、プレスキャンの後に、フィルムＦを一度逆方向に送り、この後に、プレスキャンと同じ方向にフィルムＦを搬送しながら本スキャンを行うようにスキャニング時のフィルムＦの搬送形態を設定しても良い。
【００８４】
〔補正テーブル作成処理〕
これらの処理のうち、前記シェーディング補正データ設定手段７７によって前記シェーディング補正テーブル７８を作成する処理の概要を図１２のフローチャートに示している。
【００８５】
つまり、この補正テーブル作成処理では、前記発光ダイオード６１を支持した基板をヒータ（図示せず）で加熱し、基板に備えた温度センサ（図示せず）から取得した基板温度を取得し、取得した温度が目標温度域にあるかを判定する（＃１０１、＃１０２ステップ）。この加熱の際に前記発光ダイオード６１Ｇ、６１Ｂ、６１Ｒ・ＩＲ夫々を発光させ、この発光に伴って発生する熱を利用しても良い。
【００８６】
この判定により基板の温度が目標温度域にあることを判別した場合には、前記切換モータ６６を制御してＮＤフィルタ６５を光軸Ｙ上に配置して、光量を減じた状態で、発光ダイオード６１に対して異なる複数種の電力を供給して、複数の光量でテスト発光を行い、この発光時におけるラインセンサ２４Ａ、２４Ｂの主走査方向での光量を取得した後、ＮＤフィルタ６５を元の位置まで待避させる（＃１０３、＃１０４ステップ）。尚、テスト発光を行う際にＮＤフィルタ６５で光量を減ずる処理は、光源からの強い光線でラインセンサ２４Ａ、２４Ｂを傷めないためである。
【００８７】
また、複数の光量で発光ダイオード６１を発光させるテスト発光では、前記発光ダイオード６１Ｇ、６１Ｂ、６１Ｒ・ＩＲに供給する電力を同時に変更する制御が実行されるものであり、この制御を実行することにより光源ユニット２２から送り出される光線を白色の状態に維持したまま（カラーバランスを維持したまま）光量が変更される。
【００８８】
次に、主走査方向での光量が均一となるシェーディング補正データを光量毎に作成して前記シェーディング補正テーブル７８に保存する（＃１０５ステップ）。このように補正テーブルを作成する場合には、前述した複数種の電力の供給によって設定された複数種の光量に対応した種類のシェーディング補正データだけではなく、複数種の光量から光量をシェーディング補正の傾向を求め、設定した複数種の光量の中間の光量に対応したシェーディング補正データを生成し、このように生成したシェーディング補正データも含めてシェーディング補正テーブル７８を作成する。尚、このシェーディング補正テーブル７８はＲ（赤）・Ｇ（緑）・Ｂ（青）の３原色とＩＲ（赤外）に対応して作成される。
【００８９】
〔スキャニング処理〕
このようにシェーディング補正テーブル７８を設定した後には、図１３に示すシーケンスに従ってスキャニング処理が実行される。このスキャニング処理は前記制御ユニット２５における処理として説明するが、この処理の一部を前記画像処理装置Ｇのコンピュータ３で分担するように処理形態を設定しても良い。特に、後述するスキャニング処理では、シェーディング補正やマニュアル補正データに基づいた画像データの補正や、欠陥領域の補正をコンピュータ３で実行することにより、制御ユニット２５での処理の負担を軽減しても良い。
【００９０】
このスキャニングルーチンでは、前記濃度センサＤＳからの信号に基づき、前記濃度判定手段７３がコマ毎の濃度データを取得し、このコマ毎の濃度データに基づき、前記光量制御手段７４がコマ毎のスキャニング時の光量をセットする（＃２０１、＃２０２ステップ）。
【００９１】
フィルムＦのコマの濃度は被写体の明るさや、撮影時のストロボの使用の有無や、撮影時のカメラの絞りの設定等によって異なるものである。従って、濃度が高いコマから画像データを取得する際に、光源ユニット２２の光量が一定である場合には、光電変換ユニット２４のＣＣＤ等の蓄積時間を長く設定する必要性が生じ、スキャニング時間を長引かせるものであるが、本発明ではコマの濃度が高い場合には、前記標準的な濃度と比較して光源ユニット２２から送り出す光線の光量を増大させ、濃度が低い場合には、標準的な濃度と比較して光源から送り出す光量を低減することにより、ラインセンサ２４Ａ、２４Ｂに照射する光線の光量を予め設定した値に維持するように前記光量制御手段７４による制御形態が決められている。
【００９２】
次に、前記フィルム供給処理のフローチャートの＃０８ステップで説明したように、フィルムＦの後端がフィルムプロセッサＦＰの排出部１４から排出されたことを第１センサＳ１が検出したタイミングで、前記フィルムキャリア２１でフィルムＦの搬送を開始すると同時にスキャニングを開始する（＃２０３ステップ）。
【００９３】
このスキャニングでは、前記プレスキャン実行手段７５がフィルムＦを設定速度で搬送しながら、前記存否センサＳＦでフィルムＦの各コマの位置を特定し、前記光量制御手段７４が各コマにセットされた光量を得るように光源ユニット２２を制御した状態で、各コマの画像データを低解像度で取得するプレスキャンを実行する（＃２０４ステップ）。
【００９４】
このプレスキャンを実行した後には、プレスキャン時の光量に対応したシェーディング補正データを前記シェーディング補正テーブル７８から抽出し、前記シェーディング補正手段７９がコマ毎のシェーディング補正を実行する（＃２０５ステップ）。
【００９５】
このシェーディング補正を実行することにより、プレスキャンによって取得した画像データの主走査方向での濃度を適正なものにする。
【００９６】
次に、本スキャンの対象とするコマの指定データと、プリントサイズデータと、補正データ（マニュアルでの補正データ又は自動補正で設定された補正データ）を取得する（＃２０６ステップ）。
【００９７】
このフローチャートには示していないが、プレスキャンによって取得した画像データは前記画像処理装置Ｇにおいてプレジャッジ画面に表示し、オペレータが色補正や濃度補正等の補正データを設定することや、プリントサイズやプリント枚数を設定することも可能である。また、同時プリントのように、プリントサイズやプリント枚数が予めセットされているもので、自動補正を行うように処理形態が設定されている場合にはプレジャッジ画面に表示せず、プレスキャンによって取得した画像データに基づいて色補正や濃度補正の補正データが自動的に設定される。
【００９８】
つまり、＃２０６ステップにおいて、プリント対象とするコマの指定データとはプレジャッジ画面に表示された画像データに基づいてオペレータが人為的に設定したプリント対象とするコマを特定する指定データ、又は、同時プリントの場合には全てのコマを特定するデータである。マニュアル補正データとはプレジャッジ画面に表示された画像データに基づいてオペレータが人為的に設定した補正データのことであり、自動補正データとは自動的な処理によって設定される補正データのことである。
【００９９】
次に、前記本スキャン実行手段７６がフィルムＦを設定速度で搬送しながら、前記存否センサＳＦでフィルムＦの各コマの位置を特定し、前記光量制御手段７４が各コマにセットされた光量を得るように光源ユニット２２を制御した状態で、プリントサイズに対応した拡大率となるように前記ズームレンズ２３の焦点距離を設定した状態で各コマの画像データを高解像度で取得する本キャンを実行する（＃２０７ステップ）。
【０１００】
このように本キャンを実行した後には、本キャン時の光量に対応したシェーディング補正データを前記シェーディング補正テーブル７８から抽出し、前記シェーディング補正手段７９がコマ毎のシェーディング補正を実行する（＃２０８ステップ）。
【０１０１】
このシェーディング補正を実行することにより、本キャンによって取得した画像データの主走査方向での濃度を適正なものにする。
【０１０２】
この後に、補正データが設定されている場合、あるいは、欠陥領域に対する補正が必要な場合には前記画像補正手段８０は設定された補正データに基づいて画像データを補正する、あるいは、画像データの欠陥領域の補正を行い、前記画像処理装置Ｇに伝送する（＃２０９ステップ）。
【０１０３】
尚、欠陥領域の補正とは、前述したように赤外光用のラインセンサ２４Ｂで取得したデータに基づいてフィルムＦのゴミや傷に起因してデータが存在しない状態や、データが適正でない欠陥領域を特定し、この欠陥領域に対して濃度調整処理や、ニアレストネイバー法、バイリニア法、バイキュービック法等による補間処理を行うことである。
【０１０４】
この最適な補正が行われた画像データが画像処理装置Ｇのコンピュータ３から写真プリント装置Ｐに伝送されることにより、高品質のプリント処理を実現するものにしている。
【０１０５】
このように、本発明によるとフィルムＦの各コマの濃度に基づいて光源ユニット２２の光量を設定することにより、例えば、ラインセンサ２４Ａが受ける光線の光量を設定値に維持するもののように、スキャニング時におけるフィルムＦの搬送速度を変化させることや、光電変換ユニット２４のラインセンサ２４Ａ、２４Ｂの蓄積時間を変更する処理を行わずとも、フィルムＦの搬送速度を維持したまま、広いダイナミックレンジの画像データを取得できるものにしている。
【０１０６】
また、プレスキャンと本スキャンとを行う以前にフィルムＦの各コマの濃度を取得し、この濃度に基づいて光量を設定した状態でプレスキャンと本スキャンとを行うので、プレスキャン時にコマの濃度を取得するもののように、プレスキャンで取得した画像データのダイナミックレンジが狭くなる不都合を回避でき、このプレスキャンで取得した画像データに基づいて適正な補正データを設定することや、プレジャッジ画面に表示した際に画像データの内容を適正に把握できるものにしている。特に、本スキャンで取得した画像データのダイナミックレンジが広いので、画像データに基づいてハイライト部からシャドウ部に至る領域を滑らかな階調変化としてプリントできるものとなる。
【０１０７】
更に、スキャニング時における光量に基づいて対応したシェーディング補正データを用いてシェーディング補正を実行するので、Ｒ（赤）、Ｇ（緑）、Ｂ（青）の３原色とも最適なシェーディング補正により、主走査方向で適正な濃度の画像データを取得できるのである。
【０１０８】
〔別実施形態〕
本発明は、上記した実施の形態以外に以下のように構成しても良い。
【０１０９】
（ａ）光量制御手段７４が光源ユニット２２の光量を設定する際に、必ずしもフィルムＦのコマ毎に光量を設定する必要はなく、例えば、フィルムＦ１本分の複数のコマの濃度が、決まった範囲内にある場合には、複数のコマの濃度の平均値に対応した光量を得るように光源ユニット２２を制御する。
【０１１０】
（ｂ）前述した（ａ）と類似するものであるが、光量制御手段７４が光源ユニット２２の光量を設定する際に、必ずしもフィルムＦのコマ毎に光量を設定する必要はなく、コマの濃度を複数種に分け、この数種類に対応した光量を得るように光源ユニット２２を制御する。
【０１１１】
（ｃ）光量制御手段７４が光源ユニット２２の光量を設定する際に、ズームレンズの絞りを調節することや、絞りと光源ユニットの光量の調節とを組み合わせる、又は、濃度が異なる複数のＮＤフィルタを用いることや、このＮＤフィルタと絞りの組み合わせ、このＮＤフィルタと光源ユニットの光量との組み合わせを用いる。
【０１１２】
（ｄ）スキャニングを行う際に、プレスキャンを行わずに本スキャンだけを行う場合に、光源の光量制御手段７４で光源ユニット２２の光量を制御する。
【産業上の利用可能性】
【０１１３】
フィルムスキャナＦＳで取得した画像データから自動的なプリントを実現することや、取得した画像データをＣＤ−Ｒ等のメディアに自動的に記憶する等、取得した画像データの処理形態を、複数の処理形態の中から選択できる制御系を備えても良い。
【図面の簡単な説明】
【０１１４】
【図１】フィルム処理装置と画像処理装置とを示す斜視図
【図２】フィルム処理装置の縦断側面図
【図３】フィルムプロセッサの平面図
【図４】フィルム貯留部の縦断側面図
【図５】リーダを取り付けたフィルムの斜視図
【図６】ガイド板を供給位置と排出位置に設定した供給搬送機構の側面図
【図７】チャッカーをチャック位置と受け渡し位置とに設定した際において駆動ローラを駆動する系を示す斜視図
【図８】フィルムプロセッサからフィルムスキャナへフィルムを供給する際の各部の作動形態を順次示す図
【図９】フィルムスキャナの構成を模式的に示す側面図
【図１０】フィルムスキャナの制御系を示すブロック回路図
【図１１】フィルム供給処理のフローチャート
【図１２】補正テーブル作成処理のフローチャート
【図１３】スキャニング処理のフローチャート
【符号の説明】
【０１１５】
２１          フィルムキャリア
２２          光源ユニット
２４          光電変換ユニット
２４Ａ        光電変換素子：ラインセンサ
６１          発光ダイオード
７４          光量制御手段
７９          シェーディング補正手段
ＤＳ          濃度センサ
Ｆ            未現像写真フィルム・現像済写真フィルム
ＦＰ          フィルムプロセッサ
ＦＳ          フィルムスキャナ
【図１】
2007036568.tif 000003
【図２】
2007036568.tif 000004
【図３】
2007036568.tif 000005
【図４】
2007036568.tif 000006
【図５】
2007036568.tif 000007
【図６】
2007036568.tif 000008
【図７】
2007036568.tif 000009
【図８】
2007036568.tif 000010
【図９】
2007036568.tif 000011
【図１０】
2007036568.tif 000012
【図１１】
2007036568.tif 000013
【図１２】
2007036568.tif 000014
【図１３】
2007036568.tif 000015